(57)【要約】【課題】録画装置が複数存在する環境においてユーザの煩雑さを極力低減し、録画装置を一元的に管理し、ユーザ所望の録画予約を容易かつ確実に実現する。【解決手段】ネットワークを介して複数の録画装置と接続するサーバ装置であって、複数の録画装置の識別情報を記憶する記憶部と、ユーザからのアクセスを受けた場合に、識別情報に対応する各録画装置から、少なくとも録画装置における録画予約の状況および記憶容量の空きに関する情報を含む録画装置情報を取得する情報取得部と、ユーザからのアクセスに応じて、コンテンツの録画予約を受け付ける録画予約受付部と、上記受け付けた録画予約の設定対象とする録画装置を、録画装置情報を参照した判断に基づいて、上記識別情報に対応する各録画装置の中から選択し、当該選択した録画装置に対して上記受け付けた録画予約を設定する録画予約設定部とを備える。【選択図】図３
2014116809.tif 000002
【特許請求の範囲】
【請求項１】
ネットワークを介して複数の録画装置と接続するサーバ装置であって、
上記複数の録画装置の識別情報を記憶する記憶部と、
ユーザからのアクセスを受けた場合に、上記識別情報に対応する各録画装置から、少なくとも録画装置における録画予約の状況および記憶容量の空きに関する情報を含む録画装置情報を取得する情報取得部と、
上記ユーザからのアクセスに応じて、コンテンツの録画予約を受け付ける録画予約受付部と、
上記受け付けた録画予約の設定対象とする録画装置を、上記録画装置情報を参照した判断に基づいて、上記識別情報に対応する各録画装置の中から選択し、当該選択した録画装置に対して上記受け付けた録画予約を設定する録画予約設定部と、を備えることを特徴とするサーバ装置。
【請求項２】
上記録画予約設定部は、上記受け付けた録画予約に基づく録画を実行可能である録画装置のうち上記記憶容量の空きが多い録画装置を、上記受け付けた録画予約の設定対象として選択することを特徴とする請求項１に記載のサーバ装置。
【請求項３】
上記録画予約設定部は、上記受け付けた録画予約に基づく録画を実行可能である録画装置を抽出し、当該抽出した録画装置を外部に提示し、当該提示した録画装置の中からユーザに選択させた録画装置を、上記受け付けた録画予約の設定対象として選択することを特徴とする請求項１に記載のサーバ装置。
【請求項４】
上記録画予約設定部は、２台以上の録画装置を、上記受け付けた録画予約の設定対象として選択することを特徴とする請求項１〜請求項３のいずれかに記載のサーバ装置。
【請求項５】
上記情報取得部は、上記選択された録画装置に設定された録画予約が示す録画開始時刻の所定時間前に、上記識別情報に対応する各録画装置から最新の上記録画装置情報を取得し、
上記録画予約設定部は、上記選択された録画装置に設定された録画予約に基づく録画が上記選択された録画装置において実行不能であると上記最新の録画装置情報に基づいて判定した場合は、上記受け付けた録画予約の設定対象とする録画装置を、上記最新の録画装置情報を参照した判断に基づいて、上記識別情報に対応する各録画装置の中から新たに選択し、当該新たに選択した録画装置に対して上記受け付けた録画予約を設定する、ことを特徴とする請求項１〜請求項４のいずれかに記載のサーバ装置。
【請求項６】
ネットワークを介して複数の録画装置と接続するサーバ装置に録画予約の管理を実現させる録画予約管理プログラムであって、
上記複数の録画装置の識別情報を記憶する記憶機能と、
ユーザからのアクセスを受けた場合に、上記識別情報に対応する各録画装置から、少なくとも録画装置における録画予約の状況および記憶容量の空きに関する情報を含む録画装置情報を取得する情報取得機能と、
上記ユーザからのアクセスに応じて、コンテンツの録画予約を受け付ける録画予約受付機能と、
上記受け付けた録画予約の設定対象とする録画装置を、上記録画装置情報を参照した判断に基づいて、上記識別情報に対応する各録画装置の中から選択し、当該選択した録画装置に対して上記受け付けた録画予約を設定する録画予約設定機能と、を実現させることを特徴とする録画予約管理プログラム。
【発明の詳細な説明】
【技術分野】
【０００１】
本発明は、サーバ装置および録画予約管理プログラムに関する。
【背景技術】
【０００２】
少なくとも１つの録画要求装置及び複数の録画装置が、それぞれネットワークに接続されるシステムであって、番組録画指示に対し、ネットワーク上の録画装置から録画履歴に鑑みて当該番組に最適な録画装置を選択する技術に関する開示がなされている（特許文献１参照。）。また、主にマルチメディアコンテンツを蓄積する録画装置に関し、ネットワーク接続された複数の録画装置が機能を共有する録画システムの技術に関する開示がなされている（特許文献２参照。）。
【先行技術文献】
【特許文献】
【０００３】
【特許文献１】再表２００９／１０７５６０
【特許文献２】特表２０１１‐５２１４８３号公報
【発明の概要】
【発明が解決しようとする課題】
【０００４】
録画装置が複数存在する環境では、各録画装置における録画予約の状況や記憶容量の空き状況が異なるため、所望のコンテンツを録画するために相応しい録画装置をユーザが認識することは容易ではない。そのため、ユーザが使用可能な録画装置が複数存在する環境において、それら録画装置を一元的に管理し、ユーザが所望する録画予約を従来に増して容易かつ確実に実現させることが可能な技術が望まれていた。また、録画予約を一旦設定した後に個々の録画装置において状況の変化が生じた場合であっても確実に予約にかかる録画が実行されるような技術が求められていた。
【０００５】
本発明は上記課題の少なくとも一つを解決するためになされたものであり、録画装置が複数存在する環境において、ユーザの煩雑さを極力低減して録画装置を一元的に管理し、ユーザ所望の録画予約を容易かつ確実に実現することが可能なサーバ装置および録画予約管理プログラムを提供する。
【課題を解決するための手段】
【０００６】
本発明の態様の一つは、ネットワークを介して複数の録画装置と接続するサーバ装置であって、上記複数の録画装置の識別情報を記憶する記憶部と、ユーザからのアクセスを受けた場合に、上記識別情報に対応する各録画装置から、少なくとも録画装置における録画予約の状況および記憶容量の空きに関する情報を含む録画装置情報を取得する情報取得部と、上記ユーザからのアクセスに応じて、コンテンツの録画予約を受け付ける録画予約受付部と、上記受け付けた録画予約の設定対象とする録画装置を、上記録画装置情報を参照した判断に基づいて、上記識別情報に対応する各録画装置の中から選択し、当該選択した録画装置に対して上記受け付けた録画予約を設定する録画予約設定部と、を備える。
【０００７】
当該構成によれば、サーバ装置がユーザと複数の録画装置との間に介在し、各録画装置を一元的に管理する。そして、サーバ装置は、ユーザから受け付けた録画予約の設定対象とする録画装置を、各録画装置の録画予約の状況や記憶容量の空きに基づいて選択し、選択した録画装置へ録画予約を設定する。つまり、ユーザは、サーバ装置に対する操作を行うだけで、いずれかの録画装置を用いた所望のコンテンツの録画を確実に実行させることができる。
【図面の簡単な説明】
【０００８】
【図１】本実施形態にかかるシステムを概略的に例示する図である。
【図２】識別情報記憶処理を示すフローチャートである。
【図３】録画予約管理処理を示すフローチャートである。
【図４】ＵＩ画面の一例を示す図である。
【図５】録画予約再設定処理を示すフローチャートである。
【発明を実施するための形態】
【０００９】
本発明の実施形態として、上記録画予約設定部は、上記受け付けた録画予約に基づく録画を実行可能である録画装置のうち上記記憶容量の空きが多い録画装置を、上記受け付けた録画予約の設定対象として選択するとしてもよい。
また、本発明の実施形態として、上記録画予約設定部は、上記受け付けた録画予約に基づく録画を実行可能である録画装置を抽出し、当該抽出した録画装置を外部に提示し、当該提示した録画装置の中からユーザに選択させた録画装置を、上記受け付けた録画予約の設定対象として選択するとしてもよい。
また、本発明の実施形態として、上記録画予約設定部は、２台以上の録画装置を、上記受け付けた録画予約の設定対象として選択するとしてもよい。
また、本発明の実施形態として、上記情報取得部は、上記選択された録画装置に設定された録画予約が示す録画開始時刻の所定時間前に、上記識別情報に対応する各録画装置から最新の上記録画装置情報を取得し、上記録画予約設定部は、上記選択された録画装置に設定された録画予約に基づく録画が上記選択された録画装置において実行不能であると上記最新の録画装置情報に基づいて判定した場合は、上記受け付けた録画予約の設定対象とする録画装置を、上記最新の録画装置情報を参照した判断に基づいて、上記識別情報に対応する各録画装置の中から新たに選択し、当該新たに選択した録画装置に対して上記受け付けた録画予約を設定する、としてもよい。
【００１０】
本発明の思想は、サーバ装置としてだけではなく、サーバ装置および複数の録画装置を含むシステムとしても把握することが可能である。また、サーバ装置に搭載されサーバ装置を上記のように機能させるコンピュータ読み取り可能なプログラム（ネットワークを介して複数の録画装置と接続するサーバ装置に録画予約の管理を実現させる録画予約管理プログラム）の発明や、上記システムに相当する方法の発明、さらには、サーバ装置によって制御される対象の個々の録画装置の発明、録画装置に搭載され録画装置を上記のように機能させるコンピュータ読み取り可能なプログラムの発明なども成立する。
【００１１】
以下、図面を参照しながら本発明の実施形態を更に説明する。
１．システムの概略
図１は、本実施形態にかかるシステムを概略的に例示している。当該システムは、ネットワーク１０を有する。ネットワーク１０は、例えばユーザ自宅に構築されたＬＡＮ（Local Area Network）であり、ルータ１１を介してインターネットＩＮと通じている。ネットワーク１０内では、複数の機器が有線により接続している。具体的には、ルータ１１に接続したハブ１２に対し、サーバ装置１３が接続されており、かつ、複数台の録画装置１５，１５，１５…が接続されている。
【００１２】
サーバ装置１３は、複数台の録画装置１５，１５，１５…を管理するためのコンピュータであり、当該管理のための録画予約管理プログラム（管理プログラム１４）を所定のメモリに搭載している。サーバ装置１３では、ＣＰＵがワークメモリ上で管理プログラム１４に従った処理を実行することにより、記憶部１４ａ、情報取得部１４ｂ、録画予約受付部１４ｃ、録画予約設定部１４ｄ等の各種機能を実現する。これら各機能については後述する。サーバ装置１３および複数台の録画装置１５，１５，１５…は、ＤＬＡＮ（Digital Living Network Alliance）による規格に準拠したネットワーク対応機器であり、機器間での動画ファイルや音楽ファイルの転送、一の機器から他の機器（例えば、サーバ装置１３から録画装置１５）に対する遠隔操作等が可能である。
【００１３】
複数台の録画装置１５，１５，１５…は、それぞれにテレビ番組（コンテンツ）を記憶媒体１６，１６，１６…に録画可能なレコーダであり、テレビ放送信号を受信するための不図示のチューナを有する（あるいはチューナと接続している）。各録画装置１５は、モニタ（液晶ディスプレイやプラズマディスプレイや有機ＥＬディスプレイ等）を持たないいわゆるレコーダであってもよいし、モニタを有するテレビジョン（録画機能付テレビジョン）等であってもよい。また、録画装置１５それぞれが有する記憶媒体１６は、内蔵あるいは外付けのハードディスク（ＨＤ）であったり、ＵＳＢ（Universal Serial Bus）メモリ等であったりする。
【００１４】
端末２０は、インターネットＩＮに有線あるいは無線により接続可能なデバイスであり、例えば、ＰＣであったり、モバイル型通信機器であったりする。ユーザは、端末２０を操作することにより、インターネットＩＮ、ルータ１１およびハブ１２を介してサーバ装置１３にアクセスすることができる。
【００１５】
２．識別情報記憶処理
図２は、本実施形態においてサーバ装置１３が実行する識別情報記憶処理をフローチャートにより示している。識別情報記憶処理は、主に記憶部１４ａにより実現され、後述する録画予約管理処理（図３）よりも事前に行われる。
識別情報記憶処理の前提として、ネットワーク１０を構成する各器機（サーバ装置１３、各録画装置１５）のそれぞれには、ネットワーク１０への最初の参加時に、ルータ１１によってネットワーク１０内のプライベートＩＰアドレス（以下、単にＩＰアドレス）が割り当てられている（ステップＳ１００）。かかる前提で、ステップＳ２００では、記憶部１４ａは、ネットワーク１０内へ、ＩＰアドレスの返信を要求する要求信号を送出する。そして、当該要求信号を受信した各録画装置１５は、当該要求信号の送出元（サーバ装置１３）に対し、自己のＩＰアドレスを返信する。
【００１６】
これにより、サーバ装置１３は、ネットワーク１０に属する各録画装置１５のＩＰアドレスを取得する。識別情報記憶処理の開始にあたっては、サーバ装置１３はもちろんのこと、各録画装置１５もユーザによって電源オン状態（起動状態）とされているものとする。ステップＳ２２０では、記憶部１４ａは、ステップＳ２００で取得した各録画装置１５のＩＰアドレス（識別情報の一種）を所定のメモリに記憶させる。これによりサーバ装置１３は、以降、ネットワーク１０内で各録画装置１５をＩＰアドレスで特定して各種通信を行う。
【００１７】
さらに、サーバ装置１３は、ステップＳ２４０において、各録画装置１５についてＷＯＬ（Wake On LAN）の設定を行うか否かを、所定のモニタに表示させたＵＩ（ユーザインターフェイス）画面等を介してユーザに問い合わせ、ユーザによる指示に応じて処理を分岐する。ユーザからＷＯＬ設定を行う旨の指示を入力した場合はステップＳ２６０へ進み、ＷＯＬ設定を行わない旨の指示を入力した場合は当該フローチャートを終了する。ＷＯＬとは、電源オフ状態（いわゆるスリープモード）にあるネットワーク対応機器へ他のネットワーク対応機器がＬＡＮ経由で特定のパケットを送信することにより電源オン状態にする処理を言う。
【００１８】
ステップＳ２６０では、サーバ装置１３は、上記記憶したＩＰアドレスで特定される各録画装置１５に対しＷＯＬ設定を有効化させる指示を送信し、ＷＯＬ設定を有効化させる。そして、サーバ装置１３は、各録画装置１５へのＷＯＬが正常に実施されるか否か動作確認を実行する。動作確認としては、例えば、サーバ装置１３は、各録画装置１５に対してネットワーク１０経由にて電源オフの指示を送信し、現在の電源オン状態から電源オフ状態に移行させる。次に、各録画装置１５に対してネットワーク１０経由にて上記特定のパケットを送信し、電源オフ状態から電源オン状態に移行させ、電源オン状態に移行した各録画装置１５から電源オン状態に移行した旨を示す特定の信号を受信する。サーバ装置１３は、これら一連の動作確認が完了した録画装置１５に限って、ＷＯＬ設定がなされた録画装置１５（ＷＯＬ対応の録画装置１５）と見なし、当該フローチャートを終了する。
【００１９】
３．録画予約管理処理
図３は、本実施形態においてサーバ装置１３が実行する録画予約管理処理をフローチャートにより示している。録画予約管理処理は、主に、情報取得部１４ｂ、録画予約受付部１４ｃ、録画予約設定部１４ｄにより実現される。
情報取得部１４ｂは、コンテンツの録画予約を目的としたユーザからのアクセスを受けたか否か判定し（ステップＳ３００）、当該アクセスを受けたと判定した場合に次のステップＳ３１０へ進む。ユーザは、端末２０を操作し、端末２０が搭載する所定のアプリケーションを起動させることにより、インターネットＩＮ上でサーバ装置１３が提供する所定の録画予約用サイトにアクセスすることができる。従って、情報取得部１４ｂは、当該サイトへのアクセスを受けた場合に、ステップＳ３１０へ進むこととなる。
【００２０】
ステップＳ３１０では、情報取得部１４ｂは、ＷＯＬ対応の録画装置１５に対しＷＯＬを実施することにより、それらＷＯＬ対応の録画装置１５を電源オフ状態から電源オン状態へ移行させる。なお、ネットワーク１０に参加する全ての録画装置１５がＷＯＬ対応の録画装置１５であるとは限らないし、そもそもステップＳ２４０（図２）でＷＯＬ設定を行わない旨の分岐がなされた場合はＷＯＬ対応の録画装置１５は存在しない。ただし以下では、少なくとも一部の録画装置１５はＷＯＬ対応の録画装置１５であることを前提に説明を続ける。ＷＯＬ対応の録画装置１５でない録画装置１５についても、ユーザがリモコン等を操作してそのような録画装置１５の主電源をオンさせ、電源オフ状態から電源オン状態へ移行させることにより、ステップＳ３２０以下の処理の対象となる。
【００２１】
ステップＳ３２０では、情報取得部１４ｂは、電源オン状態の各録画装置１５へ録画装置情報の返信を要求する要求信号を送出する。そして、当該要求信号を受信した各録画装置１５は、当該要求信号の送出元（サーバ装置１３）に対し、自己の録画装置情報を返信する。これにより、サーバ装置１３は、起動状態にある録画装置１５毎の録画装置情報を取得する。録画装置情報には、少なくとも現在の録画装置１５における録画予約の状況（設定済みの録画予約リスト）と、現在の録画装置１５における記憶媒体１６の空き容量とに関する情報が含まれる。また、録画装置情報には、録画装置１５において実行可能な録画モード（２倍速、４倍速等の録画画質に関するモード）の情報や記憶媒体１６の名称等の製品情報等が含まれていてもよい。ただし、このような録画モードの情報や製品情報等は、ステップＳ３２０よりも前の段階（例えば、ステップＳ２００，Ｓ２２０のタイミング。図２。）で各録画装置１５から取得済みであるとしてもよい。
【００２２】
ステップＳ３３０では、録画予約受付部１４ｃが、ユーザからのアクセスに応じて、コンテンツの録画予約を受け付ける。つまりユーザは、端末２０を操作することにより、上記録画予約用サイト内で所望のテレビ番組の録画予約を行うことができる。例えば、当該サイト内には、ＥＰＧ（電子番組ガイド）が提示され、ユーザはその提示内容から所望のテレビ番組を録画対象として指定することにより、録画予約を行う。
【００２３】
ステップＳ３４０では、録画予約設定部１４ｄが、ステップＳ３３０で受け付けられた録画予約（以下、受付録画予約と呼ぶ。）の設定対象とする録画装置１５を、ステップＳ３２０で取得された録画装置情報を参照した判断に基づいて以下のように選択する。
録画予約設定部１４ｄは、当該選択に先立って、録画装置１５の選択方法の設定をユーザから受け付ける。一例として、録画予約設定部１４ｄは、図４に示すようなＵＩ画面２２を上記録画予約用サイトの一部として外部に提示する。図４では、ＵＩ画面２２が端末２０のモニタ２１に表示された様子を示している。ＵＩ画面２２では、例えば、「空き容量の多いものを自動選択」、「ユーザによる選択」等の選択肢が提示され、ユーザは端末２０を操作することにより、これら選択肢を任意に選ぶことがきる。また、例えば、ユーザが「空き容量の多いものを自動選択」を選択した場合は、自動選択される録画装置１５の台数をＵＩ画面２２内で任意に指定可能となり、ユーザは、所望の台数を指定する。
【００２４】
録画予約設定部１４ｄは、受付録画予約にかかる録画を実行可能な録画装置１５を、録画装置情報に基づいて抽出する。ここで、受付録画予約にかかる録画を実行可能な録画装置１５とは、録画予約の状況および記憶媒体１６の空き容量に照らして、受付録画予約を受け入れ可能である録画装置１５を意味する。また、ユーザが、ステップＳ３３０において録画モードの指定を併せて行っている場合には、録画予約設定部１４ｄは、当該指定された録画モードでの録画が可能であるという条件も含めて、受付録画予約にかかる録画を実行可能な録画装置１５を抽出する。
【００２５】
そして、「空き容量の多いものを自動選択」が選択されている場合、録画予約設定部１４ｄは、上記抽出した録画装置１５の中から記憶媒体１６の空き容量が多い順に、ＵＩ画面２２で指定された上記台数分の録画装置１５を、受付録画予約の設定対象として選択する。上記抽出した録画装置１５の数が上記指定された台数に満たない場合は、録画予約設定部１４ｄは、上記抽出した録画装置１５の全てを選択する。また、ユーザが、上記自動選択される録画装置１５の台数をＵＩ画面２２内で指定しない場合は、デフォルトの値（１台）を上記指定された台数とみなす。
【００２６】
一方、「ユーザによる選択」が選択されている場合、録画予約設定部１４ｄは、上記抽出した録画装置１５の一覧を、上記録画予約用サイトの一部として外部に提示する。ユーザは、端末２０を操作することにより、当該提示された一覧の中から任意に１台あるいは複数台の録画装置１５を選択する。録画予約設定部１４ｄは、当該ユーザにより選択された録画装置１５を、受付録画予約の設定対象として選択する。
【００２７】
ステップＳ３５０では、録画予約設定部１４ｄは、ステップＳ３４０で選択した全ての録画装置１５に対して、受付録画予約を設定する。つまり、当該選択した録画装置１５へ、録画予約の設定命令（コマンド）とともに受付録画予約にかかる情報（番組名、放送チャンネル、放送時間帯、録画モードなどの情報）を、ネットワーク１０を介して送信することにより、当該選択した録画装置１５に受付録画予約を設定させる。これにより、当該選択した録画装置１５では、受付録画予約によるテレビ番組の録画処理が実行される。
ステップＳ３６０では、サーバ装置１３は、ステップＳ３５０（あるいは後述のステップＳ４６０）で受付録画予約を設定した録画装置１５から、受付録画予約による録画処理が終了した旨の通知を受信し、当該フローチャートを終了する。
【００２８】
このように本実施形態によれば、サーバ装置１３がユーザと複数の録画装置１５との間に介在し、各録画装置１５を一元的に管理する。具体的には、サーバ装置１３は、受付録画予約の設定対象として最適な録画装置１５を、各録画装置１５の録画予約の状況や記憶容量の空きに基づいて選択し、選択した録画装置１５へ録画予約を設定する。そのためユーザは、サーバ装置１３に対する簡易な操作を行うだけで、いずれかの録画装置１５を用いた所望のコンテンツの録画を確実に実行させることができる。特に、モバイル型通信機器としての端末２０を操作することにより、ユーザは、外出先からサーバ装置１３に対して録画予約を指示するだけで、いずれかの録画装置１５を用いた所望のコンテンツの録画を確実に実行させることができる。また、ユーザは「空き容量の多いものを自動選択」と「ユーザによる選択」のいずれを選んだ場合であっても、複数台の録画装置１５に録画をさせることが可能であるため、予約録画の失敗というリスクを極力避けることができる。
【００２９】
４．録画予約再設定処理
本発明は上述の実施形態に限られるものではなく、その要旨を逸脱しない範囲において種々の態様において実施することが可能であり、例えば以下のような変形例も可能である。
図５は、変形例の一つとしてサーバ装置１３が実行する録画予約再設定処理を、フローチャートにより示している。当該処理は、録画装置１５への受付録画予約の設定が行われた（ステップＳ３５０。図３。）後のタイミングで実施される。
情報取得部１４ｂは、受付録画予約が示す録画開始時刻の所定時間前（Ｎ分前）になったか否か判定し（ステップＳ４００）、所定時間前となったタイミングで、各録画装置１５から最新の録画装置情報を取得する（ステップＳ４１０，Ｓ４２０）。ステップＳ４１０，Ｓ４２０の処理は、ステップＳ３１０，Ｓ３２０（図３）の処理と同様であるため説明は省略する。ただし、ステップＳ３１０，Ｓ３２０の時点から時間が経過しているため、ユーザが個々の録画装置１５に対して別途の録画予約を設定する等して各録画装置１５における状況（録画予約の状況や記憶媒体１６の空き容量）が変化している可能性がある。よって、ステップＳ３２０で得られた録画装置情報の内容とステップＳ４２０で得られた録画装置情報の内容は相違している可能性がある。
【００３０】
ステップＳ４３０では、録画予約設定部１４ｄは、ステップＳ３３０で受け付けられた受付録画予約にかかる情報を、保存しておいた所定のメモリから読み出す。そして、ステップＳ４４０では、当該読み出した情報と、ステップＳ４２０で取得した最新の録画装置情報とを比較することにより、受付録画予約に基づく録画が上記ステップＳ３４０（図３）で選択された録画装置１５のいずれか１台以上において実行不能であるか否か判定する。そして、受付録画予約に基づく録画が上記ステップＳ３４０で選択された録画装置１５のいずれか１台以上において実行不能であると判定した場合は、受付録画予約の再設定が必要であるとしてステップＳ４５０へ進む。一方、受付録画予約に基づく録画が上記ステップＳ３４０で選択された録画装置１５の全てにおいて実行可能である場合は、受付録画予約の再設定は不要であるとして当該フローチャートを終了する。
【００３１】
ステップＳ４５０では、録画予約設定部１４ｄは、受付録画予約の設定対象とする録画装置１５を、改めて上記ステップＳ３４０と同じように（ただし、ステップＳ４４０で受付録画予約に基づく録画が実行不能であると判定された録画装置１５を除いて）選択する。なお、録画予約再設定処理は、受付録画予約にかかる録画開始時刻の直前にサーバ装置１３が自動的に行うことが想定されるため、ステップＳ４５０では、図４で説明したようなユーザによるＵＩ画面２２を介した指示は、基本的に求めない。従って、ステップＳ４５０では、ステップＳ３４０においてＵＩ画面２２を介してユーザにより設定された録画装置１５の選択方法を、そのまま踏襲する。ただし、ステップＳ３４０において「ユーザによる選択」が選択されていた場合は、録画予約設定部１４ｄは、ステップＳ４５０では、録画装置１５の選択方法を強制的に「空き容量の多いものを自動選択」へ変更してもよいし、あるいは、インターネットＩＮを通じて端末２０を呼び出し、受付予約録画の設定対象となる録画装置１５をユーザに再度任意に選択させるとしてもよい。
【００３２】
ステップＳ３４０で選択した録画装置１５とステップＳ４５０で選択した録画装置１５は、少なくとも一部異なることとなる。ステップＳ４６０では、録画予約設定部１４ｄは、ステップＳ４５０で選択した全ての録画装置１５に対して、受付録画予約を設定する。これにより、ステップＳ３５０で一旦ある録画装置１５に設定した録画予約が、その後の当該録画装置１５における状況変化によって実行不能となってしまう場合でも、録画開始時刻前に自動的に他の録画装置１５に設定されるため、何らユーザを煩わせることなく確実に受付録画予約にかかる録画が実現される。
【符号の説明】
【００３３】
１０…ネットワーク（ＬＡＮ）、１１…ルータ、１２…ハブ、１３…サーバ装置、１４…管理プログラム、１４ａ…記憶部、１４ｂ…情報取得部、１４ｃ…録画予約受付部、１４ｄ…録画予約設定部、１５…録画装置、１６…記憶媒体、２０…端末、２１…モニタ、２２…ＵＩ画面
【図１】
2014116809.tif 000003
【図２】
2014116809.tif 000004
【図３】
2014116809.tif 000005
【図４】
2014116809.tif 000006
【図５】
2014116809.tif 000007